(57)【要約】【課題】自動車内をはじめ屋外や屋内で用を足す時に、簡単に用を足すことができ、また他人から見られる心配もなく用を足すことができ、またその後の糞尿の後処理も衛生的に簡単に行うことができる携帯用トイレ具を提供することにある。【解決手段】巻き取り自在な囲い部材１と、この囲い部材１で囲繞される中に置いて使用する、上部を開口してなる有底の糞尿受け容器２と、この糞尿受け容器２の上部開口側に、開口部分を配して前記糞尿受け容器内に収納するトイレ袋５と、このトイレ袋内に入れる糞尿廃棄袋６と、前記糞尿廃棄袋に入れて糞尿の水分を吸収する吸水材７とからなる。【選択図】　図１
0003098219.tif 000002
【実用新案登録請求の範囲】
【請求項１】
巻き取り自在な囲い部材と、この囲い部材で囲繞される中に置いて使用する、上部を開口してなる有底の糞尿受け容器と、この糞尿受け容器の上部開口側に開口を配して前記糞尿受け容器内に収納するトイレ袋と、このトイレ袋内に入れる糞尿廃棄袋と、前記糞尿廃棄袋に入れて糞尿の水分を吸収する吸水材とからなる携帯用トイレ具。
【請求項２】
前記囲い部材の少なくとも両側端部及び／または上下端部に着脱自在な留め部材を設けた請求項１記載の携帯用トイレ具。
【請求項３】
前記囲い部材は適宜厚さの柔軟性を有する発泡樹脂材を基材にした適宜厚さのシート状のものである請求項１又は２記載の携帯用トイレ具。
【請求項４】
前記糞尿廃棄袋は適宜時間の耐水性を備えた紙製の袋又は箱状袋である請求項１、２又は３記載の携帯用トイレ具。
【請求項５】
前記糞尿廃棄袋内に消臭材および／または芳香剤を入れた請求項１、２、３又は４記載の携帯用トイレ具。
【請求項６】
上部を開口してなる有底の糞尿受け容器と、この糞尿受け容器の上部開口側に開口を配して前記糞尿受け容器内に収納するトイレ袋と、このトイレ袋内に入れる糞尿廃棄袋と、前記糞尿廃棄袋に入れて糞尿の水分を吸収する吸水材とからなる携帯用トイレ具。
【考案の詳細な説明】
【０００１】
【産業上の利用分野】
この考案は、家族等で自動車で外出したり旅行したりする場合や、ハイキングやキャンプや登山等の際に携帯していくと便利な携帯用トイレに関し、特に一般道路や高速道路等を走行中に同乗者が急に用を足したくなった時に便利な携帯用トイレに関するものである。
【０００２】
【従来の技術】
一般にキャンプやハイキング、登山等のアウトドアスポーツで屋外に出かけた場合に急に用を足したくなることがあるが、このような時に近くにトイレがないことが多い。また、家族旅行等で高速道路を走行中に同乗の子供や女性が急に用を足したいと言い出すことがある。
【０００３】
【考案が解決しようとする課題】
このような場合に子供であれば車内でビニール袋等に用を足すこともできる。しかし、年齢に関係なく女性の場合は、同乗者や対向車等からの人目もあり、子供のように車内で用を足すことができないのが現状である。また、トイレ施設のないキャンプ場等の場合も、老若男女を問わずテントやバンガロ等の外で用を足すのには抵抗があった。また、老若男女を問わず屋外又は屋内又は車内等のトイレのない場所で、緊急に用を足したくなったときに、建物の影になった人目を避けられる場所で簡単にかつ衛生的に用を足せる低コストで購入できるものがあればと考えられていた。
【０００４】
なお、携帯トイレの特許文献としては下記のようなものがある。
【特許文献１】特開２００２−７８６４２号公報
【０００５】
この考案は、前記のような点に鑑みて開発されたものであって、その目的とするところは、トイレのない自動車内をはじめ屋外や屋内で用を足す時に、他人から見られる心配もなく用を足すことができ、またその後の糞尿の後処理も衛生的に簡単に行うことがで、またはトイレのない屋外又は屋内又は車内等で用を足すことができかつその後の糞尿の後処理も衛生的に簡単に行うことができる携帯用トイレ具を提供することにある。
【０００６】
【課題を解決するための手段】
この考案は前記した目的を有効に達成するために、次のような構成にしてある。すなわち、請求項１に記載のこの考案の携帯用トイレ具は、巻き取り又は折り畳み自在な囲い部材と、この囲い部材で囲繞される中に置いて使用する、上部を開口してなる有底の糞尿受け容器と、この糞尿受け容器の上部開口側に開口を配して前記糞尿受け容器内に収納するトイレ袋と、このトイレ袋内に入れる糞尿廃棄袋と、前記糞尿廃棄袋に入れて糞尿の水分を吸収する吸水材とを備えてなる構成のものである。
【０００７】
請求項２に記載のこの考案の携帯用トイレ具は、請求項１に記載の携帯用トイレ具の構成において、前記囲い部材の少なくとも両側端部及び／または上下端部に着脱自在な留め部材を設けた構成のものである。
【０００８】
請求項３に記載のこの考案の携帯用トイレ具は、請求項１又は２に記載の携帯用トイレ具の構成において、前記囲い部材は適宜厚さの柔軟性を有する発泡樹脂材を基材にした適宜厚さのシート状のものである。
【０００９】
請求項４に記載のこの考案の携帯用トイレ具は、請求項１、２又は３に記載の携帯用トイレ具の構成において、前記糞尿廃棄袋は適宜時間の耐水性を備えた紙製の袋又は箱状袋である。
【００１０】
請求項５に記載のこの考案の携帯用トイレ具は、請求項１、２、３又は４に記載の携帯用トイレ具の構成において、前記糞尿廃棄袋内に消臭材および／または芳香剤を入れた構成である。
【００１１】
請求項６に記載のこの考案の携帯用トイレ具は、上部を開口してなる有底の糞尿受け容器と、この糞尿受け容器の上部開口側に開口を配して前記糞尿受け容器内に収納するトイレ袋と、このトイレ袋内に入れる糞尿廃棄袋と、前記糞尿廃棄袋に入れて糞尿の水分を吸収する吸水材とからなる構成である。
【００１２】
【考案の実施の形態】
以下、この考案の実施の形態について説明する。
図１〜図５は、この考案の携帯用トイレ具に関する図であり、この携帯用トイレ具は、巻き取り（又は折り畳み）自在な囲い部材１と、この囲い部材１で囲繞される中に置いて使用する、上部を開口してなる有底の糞尿受け容器２と、この糞尿受け容器２の上部開口３側に、開口４を配して前記糞尿受け容器２内に収納するトイレ袋５と、このトイレ袋５内に入れる糞尿廃棄袋６と、前記糞尿廃棄袋６に入れて糞尿の水分を吸収する吸水材７とを備えたものである。
【００１３】
前記囲い部材１は、例えば１０ｍｍ前後の厚さで長さ２ｍ５０ｃｍ、高さ数十ｃｍのシート状の柔軟性を有する発泡樹脂材を基材にして、この発泡樹脂材全体を樹脂シート等で被覆したものである。前記発泡樹脂材としては、発泡ポリエチレン、発泡スチロール樹脂、発泡塩化ビニル樹脂、発泡ポリエチレン等が使用されている。勿論、前記囲い部材１は、前記した数値、材質に限定されるものではなく、用を足すときに少なくともしゃがんだ人ひとりの周囲を囲うことができれば、如何なる材質、大きさのものであってもよい。前記した発泡樹脂材を基材にしたものが簡単に巻いたり又は折り畳んだりできて、使用する際や保管の場合に軽くて取り扱いが容易である。なお、囲い部材１は、空気等の流体を充填することによって膨らまして使用できるシート状の袋であってもよい。
【００１４】
前記囲い部材１（図３、図４参照）には、両側端部及び／または上下端部及び／または所定間隔を以って横並びにあるいは縦並びに、マジックテープ（登録商標）等の着脱自在な留め部材１５が設けてある。留め部材１５は、この留め部材１５を展開して円形状にして両側端部どうし等を留められるように囲い部材１の両面に設けてある。また、前記囲い部材１を巻き取って保管しておく場合に、巻き取った囲い部材１の端部内面を、対峙する巻き取った前記囲い部材１の外面に留められように、前記端部内面と、この端部内面に対峙する前記外面に、マジックテープ（登録商標）等の着脱自在な留め部材１５を設けておくのが好ましい。この囲い部材１は、使用時には車のシート１６（図１参照）の上や床などに立てることができる。
【００１５】
前記糞尿受け容器２（図２参照）は、合成樹脂製または金属製等で形成された、上部を開口３してなる有底の容器であり、上部を開口し内部空洞の直方体形状の本体部８と、排尿、排便をして下に落とすことができる楕円状の穴９（勿論、この穴は円形でも四角形、その他の形状でもよい。）を有するとともに前部側に排尿時に尿の飛び散るのを防止する断面１／４円状の尿飛散防止部１０を有する蓋１１とからなる。前記直方体形状の本体部８は横長にして使用する。この蓋１１は、前記本体部８の上部開口に着脱自在に設ける。勿論、本体部８と蓋１１とは一体形成されたものでもよい。なお、糞尿受け容器２は、図示の形状に限らず適宜の形状に変更するも自由である。
【００１６】
前記トイレ袋５（図５参照）は、例えばビニール製の耐水性を有し、前記本体部８の内周面に沿って広げられる大きさのものである。このトイレ袋５は、前記したように前記糞尿受け容器２の上部開口３側に開口４を広げて前記糞尿受け容器２内に収納する。そしてこのトイレ袋５は、前記本体部８内に常設して使用する。勿論、トイレ袋５は、汚れたら洗浄して再び使用し、長期間使用後には新しいものと交換する。
【００１７】
前記糞尿廃棄袋６（図５参照）は、数十分又は数時間又は数日間、水分によって溶けることのないように、サイズ剤や湿潤強度付与剤等によって適宜時間の耐水性を備えた耐水紙からなる巾着状の袋又は箱状袋である。この糞尿廃棄袋６は、上部開口１２を紐等（図示せず）で封じることができ、上部開口１２を上にして前記トイレ袋５の中に広げて収納し、上部開口１２を前記蓋１１の穴９よりも大きく開いて配する。なお、前記糞尿廃棄袋６は、例えば着脱テープやボタン等や、上部開口１２の縁に離けい紙とともに付けた接着剤によって、上部開口１２を閉じられるようにしてもよい。
【００１８】
前記吸水材７（図２参照）は、糞尿廃棄袋６内に入れて糞尿の水分を吸収する高吸収ポリマーシート、吸水シート、吸水紙、天然繊維素材、パルプ粉砕物、吸水性樹脂あるいは多孔質あるポリプロピレン樹脂、ポリエチレン樹脂、またはナイロン樹脂、ビニロン樹脂等のプラスチック繊維製等からなる透水性多孔質材とポリエチレン樹脂、ポリプロピレン樹脂等の合成樹脂製の不透水性シート材との組み合わせからものなどを使用すればよい。また、この糞尿廃棄袋６内には、消臭材および／または芳香剤（図示省略）を入れておくことにより、車内で排尿、排便をした時に臭いが車内に漂っていやな思いをすることもなくなる。
【００１９】
このようにしてなる前記した携帯用トイレ具を車内の適宜箇所に収納して常備しておくことにより、走行中に急に同乗者が用を足したくなった時に取り出し、例えば自動車の後部シート１６（図１参照）の上に、吸水材７や消臭材および／または芳香剤（図示省略）、糞尿廃棄袋６を入れたトイレ袋５を収納した糞尿受け容器２を置き、用を足す時にこの糞尿受け容器２をまたぎ、図１に示すように周囲を囲い部材１で囲む。この場合、囲い部材１を展開して両側端部を留め部材１５で留めて略円形状にし前記後部シート１６の上に立てる。このようにした後に、パンツ等を下げて前記糞尿受け容器２の穴９の上にお尻を位置させて用を足す。なお、ワンボックスタイプの自動車であれば、シートを倒して車内を平らにし、倒したシートの上で前記のようにして前記携帯用トイレ具を使用して用を足せばよい。
【００２０】
用を足した後は、糞尿廃棄袋６（図５参照）の上部開口１２を閉じて糞尿受け容器２から取り出し、ビニール袋等の適当な袋にしまっておく。下車後、糞尿廃棄袋６を水洗トイレに流したり、ゴミとして廃棄すればよい。また、囲い部材１は巻いて車内の適宜場所に保管しておけばよい。そして使用した前記糞尿受け容器２は、この容器内のトイレ袋５に新しい糞尿廃棄袋６を入れ、この糞尿廃棄袋６内に吸水材７等を入れて、車内の適宜場所に保管しておけばよい。
【００２１】
なお、前記した消臭材（消臭剤）としては、活性炭、木炭、竹炭等の多孔性の物理吸着脱臭材や、微生物による生物分解脱臭材が使用される。
また、この考案に係る前記した吸水材７、糞尿廃棄袋６、トイレ袋５を入れた糞尿受け容器２は、単独で屋外を問わず、屋内や車内で用を足すのに使用するも自由である。
【００２２】
【考案の効果】
以上のように、この考案の携帯用トイレ具では、自動車内等で用を足すときにも、対向車等の車外の人や同乗者の目を気にすることなく用を足すことができる。また、用を足した後の糞尿の処理も、糞尿廃棄袋の上部開口を閉じて容器から取り出すことにより、容易に衛生的に後処理をすることができる。
【００２３】
また囲い部材の両側端部及び／または上下端部には、着脱自在な留め部材を設けてあるので、前記囲い部材を例えば円形に形成した後に、前記留め部材で両側端部及び／または上下端部を留めれば、簡単に前記円形の囲い状を保持して立てることができ、この囲い部材に囲まれて安心して用を足すことができる。
【００２４】
また、囲い部材が適宜厚さの柔軟性を有する発泡樹脂材を基材にした適宜厚さのシート状のものであることにより、使用しないときはロール状に巻いて所望の場所に保管しておくことができる。勿論、折り畳んでも保管することができる。また、使用するときも簡単に展開して使用することができる。さらに、基材が柔軟性を有する発泡樹脂材であるので、軽くて持ち運びが楽で容易に使用することができる。
【００２５】
また、廃棄袋は適宜時間の耐水性を備えた紙製の袋又は箱状袋であるので、用を足した使用後の糞尿廃棄袋は、水洗トイレに糞尿や吸水材、消臭材および／または芳香剤とともに水洗トイレに流すことにより、水に溶けて汚物と共に水洗処理することができる。
【００２６】
また、廃棄袋内に消臭材および／または芳香剤を入れることによって、車内に糞尿の臭いの漂うのを防止することができる。
【００２７】
また、上部を開口してなる有底の糞尿受け容器と、この糞尿受け容器の上部開口側に開口を配して前記糞尿受け容器内に収納するトイレ袋と、このトイレ袋内に入れる糞尿廃棄袋と、前記糞尿廃棄袋に入れて糞尿の水分を吸収する吸水材とからなる携帯用トイレ具を単独で使用しても、屋外や屋内、車内等で用を足すことができて便利である。
【図面の簡単な説明】
【図１】この考案の携帯用トイレ具の使用状態を示す説明図である。
【図２】この考案の携帯用トイレ具の糞尿受け容器等の説明図である。
【図３】この考案に係る囲い部材の展開した説明図である。
【図４】この考案に係る囲い部材の巻き取った状態の説明図である。
【図５】この考案の糞尿受け容器等の断面図である。
【符号の説明】
１　　　囲い部材
２　　　糞尿受け容器
３　　　糞尿受け容器の上部開口
４　　　トイレ袋の開口
５　　　トイレ袋
６　　　糞尿廃棄袋
７　　　吸水材
１５　　留め部材
【図１】
0003098219.tif 000003
【図２】
0003098219.tif 000004
【図３】
0003098219.tif 000005
【図４】
0003098219.tif 000006
【図５】
0003098219.tif 000007